(57)【特許請求の範囲】
【請求項１】
プラントの動特性を模擬演算し、プラント運転の模擬を行うプラント模擬手段と、
情報の入力および表示を行う入出力装置と、
前記プラントの運転の訓練結果に関する情報を保存する訓練履歴データベースと、
前記入出力装置からの要求および入力情報を受付ける管理用マンマシン手段と、
この管理用マンマシン手段からの訓練履歴保存要求により前記プラント模擬手段で行われるプラント運転の訓練開始から終了までの訓練結果に関する情報を収集する自動保存手段と、
前記管理用マンマシン手段を通じて前記入出力装置から入力された、訓練員に関する情報である利用者データ、および訓練履歴の管理業務に必要な情報である訓練履歴管理用データをそれぞれ前記訓練履歴データベースに格納するとともに、前記自動保存手段により収集された訓練結果に関する情報を訓練履歴データとして、前記利用者データおよび前記訓練履歴管理用データと関連付けて前記訓練履歴データベースに格納するデータベース編集手段とを備えたことを特徴とするプラント模擬装置。
【請求項２】
請求項１記載のプラント模擬装置において、
前記訓練履歴保存要求は保存開始要求と終了要求からなり、前記自動保存手段は前記入出力装置から保存開始要求が入力された時点から終了要求が入力された時点まで前記プラント模擬手段で行われたプラント運転の訓練内容を収集することを特徴とするプラント模擬装置。
【請求項３】
請求項１記載のプラント模擬装置において、
前記管理用マンマシン手段からの帳票出力要求により前記訓練履歴データベースから対応する訓練履歴データを読み出すデータベース読出手段と、
前記データベース読出手段により読み出された訓練履歴データを予め設定された帳票フォーマットに合わせて加工して帳票出力用データとして帳票出力装置に出力する帳票出力手段とを備えたことを特徴とするプラント模擬装置。
【請求項４】
請求項３記載のプラント模擬装置において、前記帳票出力手段は、
各種帳票のフォーマットデータを格納する帳票フォーマットデータベースと、
出力要求された帳票のフォーマットデータを前記帳票フォーマットデータベースから読出す帳票フォーマットデータ管理手段と、
この帳票フォーマットデータ管理手段によって読出された帳票フォーマットデータおよび前記データベース編集手段によって前記訓練履歴データベースから読出され編集された履歴データに基づいて帳票出力用データを作成し前記帳票出力装置に出力する出力フォーマット生成手段とを備えたことを特徴とするプラント模擬装置。
【請求項５】
請求項１ないし４のいずれか１項記載のプラント模擬装置において、
前記訓練履歴データベースの訓練履歴データを外部記憶装置に移動させる手段をさらに備えたことを特徴とするプラント模擬装置。
【請求項６】
請求項５記載のプラント模擬装置において、
前記訓練履歴データベース内の空き容量を監視し、この空き容量が所定値以下となったとき、前記管理用マンマシン手段に前記履歴データベースのデータ収録が限界であることを知らせる警告を前記入出力装置へ表示するよう要求するデータベース管理手段をさらに備えたことを特徴とするプラント模擬装置。
【請求項７】
請求項１記載のプラント模擬装置において、
前記データベース編集手段は、前記訓練履歴データベースに前記訓練履歴データを格納するとき、この訓練履歴データの検索用の訓練履歴インデックスデータを作成して前記訓練履歴データベースに保存し、前記訓練履歴データベースに前記利用者データを格納するとき、この利用者データの検索用のグループインデックスデータを作成して前記訓練履歴データベースに保存することを特徴とするプラント模擬装置。
【請求項８】
請求項１ないし７のいずれか１項記載のプラント模擬装置において、
前記データベース編集手段は、
前記訓練履歴データベースを検索するための検索キーを格納する検索情報データベースと、
この検索情報データベースから検索に必要な検索キーを前記管理用マンマシン手段を通じて前記入出力装置より入力された要求に応じて取り出す検索キー取得手段と、
この検索キー取得手段により取得された検索キーを用いて前記訓練履歴データベースから該当する訓練履歴データを検索するデータベース検索手段とを備えたことを特徴とするプラント模擬装置。
【請求項９】
請求項１ないし７のいずれか１項記載のプラント模擬装置において、
前記データベース編集手段は、前記管理用マンマシン手段を通じて前記入出力装置より入力されたデータ変更要求に基づいて、前記訓練履歴データベース内の変更対象の訓練履歴データを変更することを特徴とするプラント模擬装置。
【発明の詳細な説明】
【０００１】
【産業上の利用分野】
本発明は発電プラントの運転訓練を主たる目的とするプラント模擬装置に関する。
【０００２】
【従来の技術】
プラント運転の訓練はプラント模擬装置を用いて行われるが、その訓練履歴管理は、従来は運転訓練の結果および訓練内容などを手書きで記録し、これらの記録データを他のシステムを利用して別途管理することによって行われていた。
【０００３】
図３８は、このような訓練履歴に関する従来技術を概略的に示したもので、以下この図に基づいて従来技術を説明する。
【０００４】
研修者１t がプラント模擬装置２を利用してプラントの運転訓練を行うとき、訓練管理者１u は予め計画した訓練カリキュラムに従って訓練スケジュールをたてておき、この訓練スケジュールに則ってインストラクタ設定手段３によりプラント模擬装置２内にプラント初期状態の設定や、事故事象の設定を行う。これらの設定内容については、訓練管理者１u がその都度手書きで訓練履歴レポート４を作成し、記録しておく。
【０００５】
訓練終了時点で、訓練管理者１u は記録しておいた訓練履歴レポート４を訓練履歴管理装置５内の訓練履歴ファイル６に追加するため、訓練履歴管理装置５の端末装置である入出力装置７を用いて訓練時間や訓練内容を入力し、訓練履歴ファイル編集手段８により訓練履歴ファイル６を編集する。同様に、研修を利用した研修者に関するデータを入力し、研修利用者ファイル編集手段９により研修利用者ファイル１０に記録を追加する。このようにして追加され編集された訓練履歴ファイル６および研修利用者ファイル１０の記録内容は要求に応じてプリンタ出力手段１１を介してプリンタ１２へ出力される。
【０００６】
さらに、これらの基礎データから訓練結果を集計・編集し、訓練管理用の帳票を作成するときには、プリンタ１２へ出力されるファイル６、１０のデータから、改めて必要なデータを抜き出し、訓練結果集計ファイル編集手段１３により訓練結果集計ファイル１４を作成し、これをプリンタ１２に出力して所望の帳票を得ていた。
【０００７】
また、訓練履歴ファイル６などのデータをバックアップなどのために保存するときには、各々のファイルごとに外部記憶装置入出力手段１５を介して、外部記憶装置１６に出力し記憶させていた。
【０００８】
【発明が解決しようとする課題】
上記したように、プラント模擬装置で行われる運転訓練の履歴管理に関する従来技術においては、以下のような問題点があった。
【０００９】
（１）訓練管理者がその都度メモをとるなどして訓練中に研修者に対する教育以外の作業が発生し、さらに訓練終了後、訓練の履歴記録を作成しなおさなければならない。
【００１０】
（２）紙上管理であるため訓練時間や訓練内容の集計・編集に人間の手を必要とし、また訓練履歴の追加時は再度集計・編集をやり直さなければならずミスが発生し易い。これらの管理を行うための業務の煩雑化、事務手続きが複雑となっていた。
【００１１】
（３）利用者に関する情報も訓練履歴同様に紙上管理となっており、訓練履歴集計・編集は人手により多くの労力が要求されていた。
【００１２】
（４）訓練履歴内容をプラント模擬装置と接続した訓練履歴管理装置を設けて自動で保存できるようにした場合、装置内で保存出来る訓練履歴内容には限界が生じる。
【００１３】
（５）運転訓練結果や訓練内容をプラント模擬装置と接続した訓練履歴管理装置を設けて記録できるようにした場合、入力操作ミス等により誤った内容が記録されてしまうことがある。
【００１４】
本発明は、上記（１）の問題点を解決するためになされたもので、プラント模擬部と訓練履歴管理部をオンラインでつなぐことにより、訓練実施中の必要な訓練履歴項目の収集、訓練終了時の訓練履歴データの自動編集、および研修者の訓練履歴データベースの自動更新を可能にし履歴管理を容易にしたプラント模擬装置を提供することを目的とする。
【００１５】
また、本発明は、上記（２）の問題点を解決するために、訓練履歴をデータベース化し保存しておくことで所望の帳票出力を可能とし、集計作業を容易にしたプラント模擬装置を提供することを目的とする。
【００１６】
また、本発明は、上記（３）の問題点を解決するために、訓練履歴とともに利用者情報もデータベース化することにより訓練管理者の多様な要求に応え得るデータ管理機能を有するプラント模擬装置を提供することを目的とする。
【００１７】
また、本発明は、上記（４）の問題点を解決するために、装置内で保存した過去の訓練履歴内容を外部記憶装置に移行させ装置内の保存訓練履歴内容を消去することにより容量的な限界を克服し、また外部記憶装置で保存した過去の訓練履歴の内容を取り込むことにより、過去の訓練履歴の集計が可能なプラント模擬装置を提供することを目的とする。
【００１８】
さらに、本発明は、上記（５）の問題点を解決するために、記録した運転訓練結果や利用者情報の修正または追加を容易にして、より正確な訓練内容の保存を可能にしたプラント模擬装置を提供することを目的とする。
【００１９】
【課題を解決するための手段】
すなわち、上記の問題点を解決するために、本発明のプラント模擬装置は、プラントの動特性を模擬演算し、プラント運転の模擬を行うプラント模擬手段と、情報の入力および表示を行う入出力装置と、プラントの運転の訓練結果に関する情報を保存する訓練履歴データベースと、入出力装置からの要求および入力情報を受付ける管理用マンマシン手段と、この管理用マンマシン手段からの訓練履歴保存要求によりプラント模擬手段で行われるプラント運転の訓練開始から終了までの訓練結果に関する情報を収集する自動保存手段と、管理用マンマシン手段を通じて入出力装置から入力された、訓練員に関する情報である利用者データ、および訓練履歴の管理業務に必要な情報である訓練履歴管理用データをそれぞれ訓練履歴データベースに格納するとともに、自動保存手段により収集された訓練結果に関する情報を訓練履歴データとして、利用者データおよび訓練履歴管理用データと関連付けて訓練履歴データベースに格納するデータベース編集手段とを備えたことを特徴とする。
【００２０】
上記構成のプラント模擬装置においては、訓練履歴保存要求は保存開始要求と終了要求からなり、自動保存手段は入出力装置から保存開始要求が入力された時点から終了要求が入力された時点までプラント模擬手段で行われたプラント運転の訓練内容を収集する。
【００２１】
また、上記構成のプラント模擬装置においては、帳票出力手段は、各種帳票のフォーマットデータを格納する帳票フォーマットデータベースと、出力要求された帳票のフォーマットデータを帳票フォーマットデータベースから読出す帳票フォーマットデータ管理手段と、この帳票フォーマットデータ管理手段によって読出された帳票フォーマットデータおよびデータベース編集手段によって訓練履歴データベースから読出され編集された履歴データに基づいて帳票出力用データを作成し帳票出力装置に出力する出力フォーマット生成手段とを備えてなる。
【００２２】
また、上記構成のプラント模擬装置は、訓練履歴データベースの訓練履歴データを外部記憶装置に移動させる手段をさらに備えるものであってよく、さらに、訓練履歴データベース内の空き容量を監視し、この空き容量が所定値以下となったとき、管理用マンマシン手段に履歴データベースのデータ収録が限界であることを知らせる警告を入出力装置へ表示するよう要求するデータベース管理手段を備えるものであってもよい。
【００２３】
また、上記構成のプラント模擬装置において、データベース編集手段は、訓練履歴データベースに訓練履歴データを格納するとき、この訓練履歴データの検索用の訓練履歴インデックスデータを作成して訓練履歴データベースに保存し、訓練履歴データベースに利用者データを格納するとき、この利用者データの検索用のグループインデックスデータを作成して訓練履歴データベースに保存するものとしてもよい。
【００３２】
また、データベース編集手段は、訓練履歴データベースを検索するための検索キーを格納する検索情報データベースと、この検索情報データベースから検索に必要な検索キーを管理用マンマシン手段を通じて前記入出力装置より入力された要求に応じて取り出す検索キー取得手段と、この検索キー取得手段により取得された検索キーを用いて訓練履歴データベースから該当する訓練履歴データを検索するデータベース検索手段とを備えたものとしてもよい。
【００３３】
さらに、データベース編集手段は、管理用マンマシン手段を通じて入出力装置より入力されたデータ変更要求に基づいて、訓練履歴データベース内の変更対象の訓練履歴データを変更するものとしてもよい。
【００３４】
【作用】
本発明において、プラント模擬手段は、訓練管理者によって設定されるプラント初期状態や事故模擬に従ってプラントの動特性を模擬演算し、プラント運転の模擬を行うことによってプラント運転の訓練に使用される。プラント運転の訓練に際して訓練管理者が入出力装置を介して対話式に訓練履歴保存要求を行うことにより、管理用マンマシン手段は訓練履歴保存要求を自動保存手段に送る。この訓練履歴保存要求により、自動保存手段はプラント模擬手段からプラント運転の訓練開始から終了までの訓練内容を収集する。データベース編集手段は、管理用マンマシン手段を通じて入出力装置から入力された、訓練員に関する情報である利用者データ、および訓練履歴の管理業務に必要な情報である訓練履歴管理用データをそれぞれ訓練履歴データベースに格納し、また、自動保存手段により収集された訓練結果に関する情報を訓練履歴データとして、利用者データおよび訓練履歴管理用データと関連付けて訓練履歴データベースに格納する。
【００３５】
これにより、訓練履歴をデータベース化して保存する作業の大半を自動化することができ、管理用マンマシン手段により簡明な対話機能により訓練履歴保存要求を行って訓練履歴のデータベース化を実現することができるとともに、プラント運転訓練を行う新規利用者の登録やグループ構成の変更等の訓練履歴管理データが、プラント模擬手段から直接得られる訓練データと有機的に結ばれ、管理用マンマシン手段を利用して対話形式で必要とされるデータを容易に且つ迅速に取出し、訓練管理業務に利用することができる。また、プラント運転訓練を行おうとするときは個人での利用にとどまらず、グループ単位での運転訓練研修を行うことがあるが、個人単位の利用情報とグループ単位での利用情報とを同様に扱え、かつ重複を避けることが可能となる。
【００３６】
また、本発明において、管理用マンマシン手段からの帳票出力要求により訓練履歴データベースから対応する訓練履歴データを読み出し、この訓練履歴データを予め設定された帳票フォーマットに合わせて加工して帳票出力用データとして帳票出力装置に出力することにより、目的に適合した帳票をプリンタから出力させることができる。
【００３７】
これにより、データベース化し保存されている訓練履歴を訓練履歴管理用に必要とされるデータに編集することができ、予め設定された帳票フォーマットデータを備えることによって訓練履歴管理用の帳票類を容易に作成・出力することができる。
【００３８】
また、本発明において、訓練履歴データベースの訓練履歴データを外部記憶装置に移動させる手段を設けておくとともに、訓練履歴データベース内の空き容量が所定値以下となったとき、管理用マンマシン手段に履歴データベースのデータ収録が限界であることを知らせる警告を入出力装置へ表示するよう要求するように構成することによって、訓練履歴データベースの容量にとらわれることなく連続的に履歴データを収録することができる。また、このようにして保存しておいた外部記憶装置の履歴データは必要時には訓練履歴データベースに読み込むことにより参照が可能となる。
【００４４】
さらにまた本発明において、データベース編集手段は、管理用マンマシン手段を通じて入出力装置より入力されたデータ変更要求に基づいて、訓練履歴データベース内の変更対象の訓練履歴データを変更することによって、訓練管理者が運転訓練を一度行った後でその保存したデータを修正及び追加するとき、訓練管理者が、入出力装置から管理用マンマシン手段を通して、訓練履歴データベース内に保存されている情報をデータベース編集手段を用いて変更することが可能となる。
【００４６】
【実施例】
以下、本発明の実施例を図面を参照して説明する。なお、従来例および全実施例を通して、共通する部分には同一の符号を付記し、重複する説明は省略する。
【００４７】
図１は、本発明のプラント模擬装置の第１実施例を示すもので、研修者１t がプラント運転の訓練を行うプラント模擬部２１と実施された訓練履歴を管理する訓練履歴管理部２２が伝送装置２３a 、２３b を介して接続されている。
【００４８】
プラント模擬部２１は図３９のプラント模擬装置２に相当するもので、訓練管理者１u からの入力操作により研修者１t の訓練に必要なプラントの初期状態や事故事象等の設定を行うインストラクタ設定手段３と、インストラクタ設定手段３により設定され履歴記憶エリア３a に保存された訓練内容等のデータを訓練履歴管理部２２との間でやり取りするための伝送手段２４を有する。
【００４９】
また、訓練履歴管理部２２は、プラント模擬部２１との間でデータのやり取りを行うための伝送手段２５と、入出力装置７を介して訓練管理者１u との対話処理を行う管理用マンマシン手段２６と、管理用マンマシン手段２６を通じて送られる訓練管理者１u の要求およびプラント模擬部２１から送られるデータを管理する入出力管理手段２７と、訓練管理者１u からの要求に基づいてプラント模擬部２１へ訓練データの収録および出力を要求しプラント模擬部２１から送られる訓練データを収集する自動保存手段２８と、自動保存手段２８によって収集された訓練データを追加して蓄積データとして編集するデータベース編集手段２９と、データベース編集手段２９によって編集された蓄積データを記憶する訓練履歴データベース３０とを有する。
【００５０】
次に、上記構成の本実施例の作用を説明する。
【００５１】
訓練管理者１u が、予め登録されている研修者１t の訓練を行う際に、訓練履歴管理部２２に接続される入出力装置７により履歴収録要求を行うための対話画面の表示要求を行うと、管理用マンマシン手段２６は履歴収録要求設定手段２６a より出力処理手段２６b を介して入出力装置７に履歴収録の開始、終了選択画面を表示して訓練管理者１u の入力を待つ。
【００５２】
訓練管理者１u が入出力装置７により入力を行うと、入力処理手段２６c を介して操作内容が入力され、履歴収録要求設定手段２６a は、入出力管理手段２７の要求判定手段２７a に対して履歴収録要求が選択されたことを通知する。
【００５３】
要求判定手段２７a は、図２に示すように、履歴収録要求設定手段２６a から通知を受けると、まず現在履歴収録が行われているか否かを履歴収録のフラグにより判定する（ステップ１００）。履歴収録中でない場合は、履歴収録要求設定手段２６a からの通知が開始要求か否かを判定し（ステップ１０１）、収録開始要求のとき履歴収録のフラグをセットして（ステップ１０２）、収録が開始されたことを出力処理手段２６b により入出力装置７に表示する。
【００５４】
また、ステップ１００で履歴収録中の場合は、履歴収録要求設定手段２６a からの通知が収録終了要求か否かを判定し（ステップ１０３）、この判定結果がイエスのとき履歴収録のフラグをリセットして（ステップ１０４）、収録が終了されたことを出力処理手段２６b を介して入出力装置７に表示する。
【００５５】
なお、ステップ１０１および１０３において判定結果がノーのときは、ともに出力処理手段２６b により入出力装置７にエラー表示を行う（ステップ１０５）。
【００５６】
入出力管理手段２７が要求判定手段２７a により履歴収録フラグをセットすると、自動保存手段２８は伝送手段２５を使用して、訓練履歴管理部側の伝送装置２３b およびプラント模擬部側の伝送装置２３a を介してプラント模擬部２１に対して履歴収録開始を通知する。
【００５７】
プラント模擬部２１は、訓練履歴管理部２２より伝送装置２３b 、２３a を介して伝送された履歴収録開始の通知を伝送手段２４により受けとると、インストラクタ設定手段３によりこれ以降設定されたプラント初期状態や運転内容、発生させたプラント故障模擬や、事故模擬等の訓練内容を履歴記憶エリア３a に収録する。履歴記憶エリア３a は、図３にその収録データの一例を示すように、設定されたプラント初期状態や運転内容、発生させたプラント故障模擬や、事故模擬等の訓練内容とそれらが設定された日時（年月日時分秒）Ｔも同時に収録する。
【００５８】
そして、要求判定手段２７a が履歴収録フラグをリセットすると、自動保存手段２８は、フラグがセットされた時と同様に伝送手段２５を使用して、伝送装置２３b 、２３a を介してプラント模擬部２１に対して履歴収録終了を通知する。プラント模擬部２１のインストラクタ設定手段３は、この履歴収録終了通知により履歴の収録を終了し、図３に示すように収録データにエンドコードＥをセットする。
【００５９】
さらにインストラクタ設定手段３は、履歴の収録を終了すると、伝送手段２４を使用して、履歴記憶エリア３a に収録されている訓練内容を、入出力管理手段２７内にある履歴管理用バッファ２７b の容量分だけ訓練履歴管理部２２に伝送する。
【００６０】
訓練履歴管理部２２は、プラント模擬部２１より伝送されてきた訓練内容を自動保存手段２８により履歴管理用バッファ２７b に一時的に格納する。この履歴管理用バッファ２７b に訓練内容が格納されると、データベース編集手段２９のデータ更新手段２９A は、実施した訓練の内容を新たに訓練履歴データベース３０に追加する。
【００６１】
入出力管理手段２７は、データベース編集手段２９から、データ更新手段２９A による履歴管理用バッファ２７b の内容の訓練履歴データベース３０への追加が終了したことを示す通知を返値として受けとると、履歴管理用バッファ２７b の内容をクリアし、次の訓練内容の伝送を行うよう自動保存手段２８よりインストラクタ設定手段３に対して通知させる。これにより、インストラクタ設定手段３は、訓練内容の続きをバッファサイズ分伝送し、エンドコードが現れるまでこれを繰り返す。
【００６２】
以上説明したように、本実施例によれば、自動的に訓練内容を訓練履歴データベースに保存することができ、従来訓練管理者が訓練終了後に手書きやワープロを使って記録管理用に行っていた入力作業が無用となり、訓練履歴管理が容易になる。
【００６３】
なお、上記実施例において、プラント模擬部を構成する計算機に訓練管理部を組込みプラント模擬部計算機の端末装置、記憶装置、ＣＰＵを使用することで伝送手段を用いない構成にすることも可能である。
【００６４】
図４は、本発明のプラント模擬装置の第２実施例を示すもので、図１に示すプラント模擬装置の訓練履歴管理部２２に、さらに帳票出力手段３１と、帳票出力装置すなわちプリンタ３２へデータを出力するプリンタ出力手段３３が追加されている。
【００６５】
また、帳票出力手段３１は、各種帳票のフォーマット情報を格納する帳票フォーマットデータベース３１a と、出力要求された帳票のフォーマットデータを帳票フォーマットデータベース３１a より検索する帳票フォーマットデータ管理手段３１b と、出力要求された帳票のフォーマット判定等を行い、帳票フォーマットデータ管理手段３１b より対応するフォーマットデータを、また入力管理手段２７より出力要求された帳票の記載データをそれぞれ入力する帳票出力管理手段３１c と、帳票出力管理手段３１c からのデータに基づいて帳票出力データを編集する出力フォーマット生成手段３１d とで構成される。
【００６６】
次に、上記構成を有する本実施例の帳票出力に際しての作用を説明する。
【００６７】
図５に示すように、訓練管理者１u が、入出力装置７から帳票種別を指定し、帳票出力を選択実行すると、管理用マンマシン手段２６より入出力管理手段２７へ要求された帳票の種別に対応する帳票出力要求が出される（ステップ２００）。入出力管理手段２７は、帳票の要求種別を判定してデータベース編集手段２９および帳票出力手段３１をそれぞれ起動する（ステップ２０１）。なお、入出力装置７から帳票出力の種別を選択し出力を実行する際の画面例を図６に示す。
【００６８】
データベース編集手段２９では要求された帳票の記載データを訓練履歴データベース３０より検索し（ステップ２０２）、これを帳票出力用に編集する（ステップ２０３）。
【００６９】
一方、帳票出力手段３１では、帳票出力管理手段３１c により要求種別から対応する帳票フォーマットを判定し、帳票フォーマットデータ管理手段３１b により帳票フォーマットデータベース３１a から必要となるフォーマットデータのファイルを検索し当該フォーマットファイルをオープンする処理を行う（ステップ２０４）。ついで、帳票出力手段３１はフォーマットファイルをオープンした後、帳票出力管理手段３１c により入出力管理手段２７を介してデータベース編集手段２９にデータ転送を要求する（ステップ２０５）。
【００７０】
ここで、帳票出力管理手段３１c の詳細構成を図７に、帳票フォーマットデータ管理手段３１b の詳細構成を図８に示す。
【００７１】
図７において、帳票出力管理手段３１c に対する各種の要求はインタフェース処理部３１c1により判断処理部３１c2に渡され、各々の要求に対応する処理を規定してある入出力管理用データ３１c3をもとに判定される。例えば、入出力管理手段２７からの帳票出力要求はこの判断処理部３１c2で判定され、その結果インタフェース処理部３１c1を介して帳票フォーマットデータ管理手段３１b に帳票出力用フォーマットデータを要求する処理が行われる。
【００７２】
帳票フォーマットデータ管理手段３１b では、帳票出力管理手段３１c からのフォーマットデータ要求により、フォーマットデータの呼び出しを行う。すなわち、図８において、帳票フォーマットデータベース管理手段３１b では、インタフェース処理部３１b1によりフォーマットデータ要求を入力し、この要求を判断処理部３１b2により判断し、フォーマットデータ呼出処理部３１b3によりフォーマット定義テーブル３１b4をもとに帳票フォーマットデータベース３１a から要求に該当するフォーマットデータをファイル単位で呼び出す。さらに、判断処理部３１b2ではフォーマットデータ呼出処理部３１b3から呼び出し完了の通知を受けて、これをインタフェース処理部３１b1を介して帳票出力管理手段３１c に返す。これを受けて帳票出力管理手段３１c では、入出力管理手段２７を介してデータベース編集手段２９に訓練履歴データを帳票出力用に編集した帳票出力用データの転送要求を行う。なお、帳票フォーマットデータベース３１a に格納されるフォーマットデータはあらかじめ編集され、フォーマットデータ書込処理部３１b5により追加、変更を行うことができる。
【００７３】
図９は、この追加、変更を行う際の処理操作の流れを例示したもので、まずすでにあるフォーマットデータを変更するかまたは新たなフォーマットデータを追加するかによって（ステップ３００）、新たなフォーマットデータを追加する場合には、フォーマット定義インデックスの空きを調べ（ステップ３０１）、空きあればインデックス番号を取得してフォーマット定義テーブルに書き込む（ステップ３０２）。ついで、このインデックス番号にファイル名がないことを確認した後（ステップ３０３、３０４）、新たなファイル（名）を設け（ステップ３０５）、入力されたフォーマットデータ（ステップ３０６）を、このファイルに書き込む（ステップ３０７）。一方、すでにあるフォーマットデータを変更する場合には、そのインデックス番号に従ってファイル名を調べ（ステップ３０３）、このファイルに上書きするか否かを確認した後（ステップ３０４、３０８）、入力されたフォーマットデータ（ステップ３０６）を、ファイルに書き込む（ステップ３０７）。これにより、帳票フォーマットデータベース３１a のフォーマットデータ（ファイル）の追加、変更が完了する。
【００７４】
図５に戻って説明すると、データベース編集手段２９では帳票出力管理手段３１c によるデータ転送要求により、ステップ２０３で編集した帳票出力用訓練履歴データを入出力管理手段２７を介して帳票出力管理手段３１c へ出力する（ステップ２０６）。帳票出力管理手段３１c は、データベース編集手段２９により編集された訓練履歴データを出力フォーマット生成手段３１d の編集作業用ワークエリア上に転送し、帳票出力データの編集を要求する。
【００７５】
出力フォーマット生成手段３１d では、帳票出力管理手段３１c からの帳票出力データの編集要求により、データベース編集手段２９より転送された帳票出力用訓練履歴データを帳票フォーマットデータ管理手段３１b によってオープンされたフォーマットファイルに合わせて編集する（ステップ２０７）。
【００７６】
ここで、出力フォーマット生成手段３１d の詳細構成を図１０に示す。この図に従って出力フォーマット生成手段３１d の処理について説明すると、帳票出力管理手段３１c からの帳票出力データの編集要求は出力フォーマット生成手段３１d のインタフェース処理部３１d1を介して判断処理部３１d2に送られる。判断処理部３１d2は、入力された要求について要求種別テーブル３１d3および要求データ定義テーブル３１d4に基づいて判定し、編集処理部３１d5に帳票出力データの編集要求を出す。編集処理部３１d5は編集作業用ワークエリア３１d6にてプリンタ出力用訓練履歴帳票の編集作業を行い、結果を判断処理部３１d2に返す。判断処理部３１d2はデータの編集作業が終了してから、終了したことの通知をインタフェース処理部３１d1を介して入出力管理手段２７および管理用マンマシン手段２６に返す。また、プリンタ出力インタフェース処理部３１d7は判断処理部３１d2から編集結果を受けて出力先プリンタ定義テーブル３１d8を参照してプリンタ出力用の帳票データをプリンタ出力手段３３へ出力する。図１１はこれらの流れをフロー図にしたものである。
【００７７】
また、図５に戻って説明する。プリンタ出力データが整うと、帳票出力手段３１とデータベース編集手段２９の双方から終了通知が出される（ステップ２０８、２０９）。これをみて管理用マンマシン手段２６では終了判定を行い（ステップ２１０）、入出力装置７に終了を通知する（ステップ２１１）。これで、プリンタ３２にはプリンタ出力手段３３から求める帳票が出力される（ステップ２１２）。
【００７８】
なお、本実施例において、それぞれの手段をネットワーク上に構成することもできる。
【００７９】
以上説明したように、本実施例によれば、データベース化し保存されている訓練履歴を訓練履歴管理用に必要とされるデータに集計・編集することができ、データベース化した帳票フォーマットを備えることによって訓練履歴管理用の帳票類を容易に作成・出力することができる。
【００８０】
図１２は、本発明のプラント模擬装置の第３実施例を示すもので、図４に示すプラント模擬装置に対して、訓練履歴管理部２２の訓練履歴データベース３０が、プラント模擬部２１からの訓練履歴データを保存する訓練履歴データファイル３０a 、プラント模擬部２１を訓練に利用した訓練員の情報を記憶する利用者データファイル３０b 、訓練管理者１u の管理業務に必要とする情報を記憶する訓練履歴管理用データファイル３０c 、利用者情報検索用のデータを記憶するグループインデックスデータテーブル３０d 、および訓練履歴情報検索用のデータを記憶する訓練履歴インデックスデータテーブル３０e で構成されている。さらに、データベース編集手段２９が、入出力管理手段２７からの要求に応じて訓練履歴データベース３０に対するデータの入出力を管理するデータベース入出力管理手段２９a 、訓練履歴データベース３０へデータの書き込みを行うデータベース書込手段２９b 、訓練履歴データベース３０を検索するデータベース検索手段２９c 、データベース検索手段２９c からの要求により訓練履歴データベース３０からデータを読み出すデータベース読出手段２９d 、検索キィー情報を記憶する検索情報データベース２９e 、および検索情報データベース２９e から検索に必要な検索キーを取り出す検索キー取得手段f で構成されている。
【００８１】
図１３は、本実施例の訓練履歴データベース３０のさらに詳細なデータの構成例を示したもので、訓練履歴データベース３０へのデータ登録または保存について各データファイル（データテーブル）ごとに以下に説明する。
【００８２】
訓練履歴データファイル３０a は、プラント模擬部２１において行われた訓練時の履歴項目をそのイベントの発生時刻とともに発生順序に従って、データベース３０への保存時に付した発生番号と合わせて保存している。この訓練履歴データファイル３０a のより具体的な構造例を挙げると、図１４および図１５に示すような発生時刻のテーブル３０a1と項目名称のテーブル３０a2で構成される。このような訓練履歴データの訓練履歴データファイル３０a への保存は、図１の実施例で説明した手順で行われ、各々の履歴項目の項目名称は、項目名称のテーブル３０a2に項目番号順に定義される。
【００８３】
利用者に関わる情報は、訓練管理者１u が入出力装置７から入力することにより、自動的に利用者データファイル３０b に登録され、保存される。利用者データファイル３０b は、例えば図１６、図１７および図１８に示すような各テーブル３０b1、３０b2、３０b3で構成される。それぞれのテーブル３０b1、３０b2、３０b3は、訓練管理者１u が編集目的に沿った要求を入出力装置７から入力することで、ＩＤ番号をもとにデータベース編集手段２９が自動的にリレーションを行う。ただし、グループ登録を行う場合は、当該グループに属する個人利用者が設定できるように、グループ番号によりグループごとに作成されるテーブル３０b3に個別成員のＩＤ番号情報を格納している。
【００８４】
一方、訓練履歴管理用データファイル３０c には、訓練管理者１u の管理業務に必要とする情報が登録または保存される。訓練履歴管理用データファイル３０c は、例えば図１９、図２０および図２１に示す３種類のテーブル３０c1、３０c2、３０c3で構成される。それぞれのテーブル３０c1、３０c2、３０c3は、運転訓練実施時に訓練管理者１u が入出力装置７を用いてそれぞれ訓練の「開始」
「終了」を設定するのに併せて、システムの内部で自動で採番される研修番号によりデータベース編集手段２９が自動的にリレーションを行う。また、「終了」時に設定される研修区分や、研修対象、研修を利用した人員のＩＤ、訓練内容および訓練時間も、データベース編集手段２９により訓練履歴管理用データファイル３０c に登録、保管される。
【００８５】
このほか、訓練履歴データベース３０は、利用者にかかわる情報を検索するとき、とくに登録されている利用者のＩＤ番号を高速に取得するためのグループインデックスデータテーブル３０d を持つ。図２２にグループインデックスデータテーブル３０d の構造例を示す。この図において、ＩＤは個人ＩＤ番号またはグループＩＤ番号であり、個人ＩＤ番号のときはグループフラグが０、グループＩＤ番号のときはグループフラグは１に設定される。このグループインデックスデータテーブル３０d は利用者データファイル３０b が作成されるときに作成される。
【００８６】
同様に、訓練履歴データベース３０は、訓練履歴データの検索用として、訓練履歴インデックスデータテーブル３０e を持つ。図２３に訓練履歴インデックスデータテーブル３０e の構造例を示す。本テーブルの研修番号フィールドは、運転訓練を「終了」し、訓練履歴データがプラント模擬部２１から自動保存されるときに作成される。当該訓練のあいだに発生した訓練履歴には同一の研修番号が付されるため、訓練履歴インデックスデータテーブル３０e により、訓練履歴管理用データファイル３０c から訓練履歴を検索することが高速に行えるようになる。
【００８７】
次に、図２４に示すデータベース編集手段２９におけるデータ処理について、特にデータの参照要求がなされたときの検索処理について説明する。
【００８８】
データベース編集手段２９において、データベース入出力管理手段２９a は入出力管理手段２７から渡される各種要求をインタフェース処理部２９a1で取得し判断処理部２９a2でこの要求の種別を判定し、要求の種別に応じてデータベース書込手段２９b やデータベース検索手段２９c に処理要求を行う。
【００８９】
データの参照を要求されたときは、データベース検索手段２９c に処理要求が行われる。データベース検索手段２９c は、データベース読出手段２９d により訓練履歴データベース３０から読み出された検索対象データを、検索情報データベース２９e から検索キー情報取得手段２９f によって取り出された検索キーに基づいて検索処理する。
【００９０】
データベース検索手段２９c によって検索された結果はインタフェース処理部２９a1を介して入出力管理手段２７に返される。なお、検索キィーが検索情報データベース２９e に存在しないときは結果はエラーとして返される。
【００９１】
訓練履歴データベース３０の検索は、研修実績、プラント模擬部２１の使用実績、訓練履歴の項目別実績、研修区分による研修者１t の一覧、研修者１t 別の実績、訓練項目別の利用者数実績、研修者１t の所属部別実績などの多岐にわたって行われるが、これらの検索は管理用マンマシン手段２６から要求されたときに各々の検索キーに従って行われる。管理用マンマシン手段２６からの検索要求は、入出力装置７に表示された対話画面から入力された検索要求情報を入出力制御手段２６B により入力し、これに基づいて対話入出力データ処理手段２６A が検索要求を出力することによって行われる。
【００９２】
それぞれの検索キー（または検索条件式）は要求コードごとに区分されて検索情報データベース２９e に登録されているため、データベース検索手段２９c では検索キー情報取得手段２９f を介して検索情報データベース２９e から検索条件式を取得し検索を行う。訓練履歴データベース３０の保存しているデータへの追加または修正についても、同時に検索情報データベース２９e を利用して行うことができる。
【００９３】
図２５に基づいて、検索条件式の取得処理について説明する。
【００９４】
管理用マンマシン手段２６から出力されデータベース入出力管理手段２９a に渡される各種要求Ｄは、要求コードとパラメータより構成される。要求コードにはデータベース追加・削除、帳票出力、外部記憶装置への履歴保存等がコード形式でセットされ、パラメータには入出力装置７の対話画面より入力された追加・削除、帳票出力、履歴保存等の詳細項目がセットされる。
【００９５】
データベース入出力管理手段２９a は、判断処理部２９a2において各種要求の要求コードを要求コード判定部２９a2a により判定し、検索条件式の取得に必要なパラメータ・検索条件式結合データファイル２９a2c を選択する。次にパラメータ判定部２９a2b により、各種要求コードＤのパラメータと対応するものを、要求コード判定部２９a2a により選択されたパラメータ・検索条件式結合データファイル２９a2c より検索する。
【００９６】
検索キー情報取得手段２９f は、データベース入出力管理手段２９a によって選択されたパラメータ・検索条件式結合データファイル２９a2c とそのポインタをもとに検索情報データベース２９e から検索条件式を取得することができる。
【００９７】
以上説明したように、本実施例によれば、プラント運転訓練を行う新規利用者の登録やグループ構成の変更等の訓練履歴管理データが、プラント模擬部から直接オンラインで得られる訓練履歴データと有機的に結ばれ、管理用マンマシン機能を利用して対話形式で必要とされるデータを容易にかつ迅速に取り出し、訓練管理業務に利用することができる。また、プラント運転訓練に関する個人単位の利用情報とグループ単位での利用情報とを同様に扱うことができ、かつ重複を避けることが可能となる。
【００９８】
なお、上記実施例において、検索情報データベースを設ける代わりにデータベースの検索を行う際に検索条件式を端末の入出力装置から直接指定するようにすることも可能である。
【００９９】
図２６は、本発明のプラント模擬装置の第４実施例における訓練履歴管理部分を示すもので、入出力装置７と、入力処理手段２６c 、出力処理手段２６b および外部記憶装置３５へのデータの保存および外部記憶装置３５からのデータの読み出しについて入出力装置から要求可能にする外部記憶要求設定手段２６d を有する管理用マンマシン手段２６と、訓練履歴データベース３０と、データベース編集手段２９と、外部記憶装置３５に記憶するデータを編集する外部記憶装置データ編集手段３６と、外部記憶装置３５との間でデータの入出力を行う外部記憶装置入出力手段３７と、訓練履歴データベース３０と外部記憶装置３５との間で移動されるデータを一時保有する外部記憶装置入出力バッファ２７c 、外部記憶装置３５の保存容量を監視する外部記憶装置管理手段２７d および訓練履歴データベース３０の空き容量を監視するデータベース管理手段２７e を有する入出力管理手段２７とを備えている。また、外部記憶装置データ編集手段３６は、データを外部記憶装置３５に保存する保存手段３６a と、外部記憶装置３５を初期化するフォーマット手段３６b と、外部記憶装置３５からデータを読み出す読出手段３６c とで構成される。
【０１００】
次に、本実施例が特徴とする作用を説明する。
【０１０１】
入出力管理手段２７において、データベース管理手段２７e は訓練履歴データベース３０を随時監視し、自動収集による訓練履歴データ書き込みの結果、訓練履歴データベースの空き容量が 5％以下になると、管理用マンマシン手段２６の外部記憶要求設定手段２６d に対してデータベース履歴収録が限界であることを通知し、これを受けた外部記憶要求設定手段２６d は、出力処理手段２６b を介して入出力装置７に履歴収録が限界であることを知らせる図２７に示すような警告画面を表示する。
【０１０２】
訓練管理者１u は、この警告画面によって履歴収録が限界であることを確認すると、入出力装置７を使用して、外部記憶装置３５へのデータ保存を要求するための対話画面の表示要求を行う。要求管理用マンマシン手段２６は、入力処理手段２６c によりこの表示要求を受けて、外部記憶要求設定手段２６d により図２８に示すような選択画面を出力処理手段２６b を介して入出力装置７に表示する。
【０１０３】
訓練管理者１u が、例えばフロッピーディスク等の外部記憶装置３５への保存を入出力装置７で選択すると、図２９に示すように、外部記憶要求設定手段２６d は、図３０に示すような訓練履歴データのどの範囲を保存するかを入力する画面を入出力装置７に表示する（ステップ４００）。この画面において訓練管理者１u が保存対象時刻を入力すると（ステップ４０１）、外部記憶要求設定手段２６d は、入力された時刻と訓練履歴データベース３０に収録されている訓練履歴データの比較を行う（ステップ４０２）。保存対象時刻範囲に該当する訓練履歴データがない場合は、外部記憶要求設定手段２６d は、保存する訓練履歴データがないと判断し入出力装置７に再入力の要求を表示する。
【０１０４】
入力された保存対象時刻範囲に該当する訓練履歴データが存在する場合は、外部記憶要求設定手段２６d は、入出力管理手段２７の外部記憶装置管理手段２７d を介して外部記憶装置データ編集手段３６に通知してフォーマット手段３６b にて外部記憶装置３５を初期化するとともに（ステップ４０３）、データベース編集手段２９に保存対象時刻を渡す。
【０１０５】
データベース編集手段２９は、受け取った保存対象時刻に収録された訓練履歴データを全て取り出し（ステップ４０４）、入出力管理手段２７の外部記憶装置入出力バッファ２７c に格納するとともに（ステップ４０５）、取り出した訓練履歴データは訓練履歴データベース３０から削除する（ステップ４０６）。
【０１０６】
外部記憶装置データ編集手段３６は、外部記憶装置入出力バッファ２７c に訓練履歴データが格納されると、保存手段３６a によりそれを取り出し、外部記憶装置入出力手段３７を介して外部記憶装置３５に保存する（ステップ４０７）。このとき、データベース管理手段２７e は、訓練履歴データベース３０の空き容量が10％以上となった時点でデータベース履歴収録の限界通知を解除する。
【０１０７】
なお、外部記憶装置管理手段は、保存要求されたデータが１つの外部記憶装置の容量を越える恐れがないかどうか監視する。
【０１０８】
また、図２８に示す選択画面において、訓練管理者１u が外部記憶装置３５からの読み出しを入出力装置７で選択した場合の処理フローを図３１に示す。選択画面から読み出しが選択されると、入力処理手段２６c により外部記憶要求設定手段２６d へ選択内容が通知され、外部記憶要求設定手段２６d は入出力管理手段２７の外部記憶装置管理手段２７d に対して外部記憶装置３５から訓練履歴データの読み込みを行うよう要求を出す。外部記憶装置管理手段２７d は、この要求を外部記憶装置データ編集手段３６に渡し、外部記憶装置データ編集手段３６は読出手段３６c により１つの外部記憶装置３５に保存されている訓練履歴データを全て読み出して（ステップ５００）、入出力管理手段２７に渡す。入出力管理手段２７が外部記憶装置データ編集手段３６の読出手段３６c によって読み出されたデータを外部記憶装置入出力バッファ２７c に格納すると（ステップ５０１）、データベース編集手段２９は、外部記憶装置入出力バッファ２７c に格納されている訓練履歴データを訓練履歴データベース３０に書き込む（ステップ５０２）。
【０１０９】
これにより、外部記憶装置に保存されていた訓練履歴データも訓練履歴データベース３０に取込まれ、他のデータと同様に検索対象として取り扱うことができる。
【０１１０】
以上説明したように、本実施例によれば、過去の訓練履歴データを外部記憶装置に移行可能にすることにより、内部記憶装置の容量限界を克服することができる。また、外部記憶装置に保存されている過去の訓練履歴データも読み出してデータベースへの取込み可能とすることにより、外部記憶装置に保存されたデータについても集計・編集可能にすることができる。
【０１１１】
なお、上記実施例において、訓練履歴データベース内の訓練履歴データを外部記憶装置に保存して訓練履歴データベースから削除する際、外部記憶装置に記憶した内容をバックアップ用として一部または、全データを内部に保存するようにしてもよい。
【０１１２】
図３２は、本発明のプラント模擬装置の第５実施例における訓練履歴管理部分を示すもので、入出力装置７と、入出力管理手段２７と、データベース編集手段２９と、訓練履歴データベース３０と、入力処理手段２６c 、出力処理手段２６b 、入出力管理手段２７へ各種要求を渡し入出力管理手段２７から表示すべきデータを受けとるデータ処理手段２６e 、各種画面を表示させるためのデータを格納する画面データテーブル２６f 、各画面での入力機器操作に対応する情報を格納する機器情報テーブル２６g 、および入力処理手段２６c からの入力情報に基づいて画面データテーブル２６f 並びに機器情報テーブル２６g を参照して対応するデータを取得してデータ処理手段２６e に渡し、また表示すべきデータを入力処理手段２６c に渡す機器操作処理手段２６h を有する管理用マンマシン手段２６とを備えている。
【０１１３】
次に、本実施例が特徴とする作用を説明する。
【０１１４】
まず、訓練管理者１u が入出力装置７より訓練履歴修正・追加メニューの表示要求を行うと、機器操作処理手段２６h により出力処理手段２６b を介して入出力装置７に図３３に示すような機能選択メニューウィンドウが表示される。
【０１１５】
修正を行う場合は、この機能選択メニューウィンドウにおいてデータの修正を選択することにより、図３４に示すようなデータ修正項目指定ウィンドウが表示される。
【０１１６】
このデータ修正項目指定ウィンドウにおいて、修正対象データを検索するのに必要な情報を入力すると、機器操作処理手段よりデータ処理手段へ検索に必要なデータが渡され、データ処理手段から入出力管理手段を介してデータベース編集手段２９に対して検索要求が行われ、データベース編集手段２９により修正対象データが訓練履歴データベース３０より検索される。また、入出力装置７には機器操作処理手段から出力される図３５に示すようなデータ入力ウィンドウが表示される。
【０１１７】
このデータ入力ウィンドウにおいて、データ修正項目に変更したい情報を入力し、保存要求を選択することにより、データ処理手段２６e から修正要求とともに変更内容が入出力管理手段２７を介してデータベース編集手段２９に送信され、データベース編集手段により訓練履歴データベース３０の内容が変更された内容に更新される。ついで、データ入力ウィンドウで終了要求を選択することにより、修正作業が終了する。
【０１１８】
人数の追加を行う場合は、図３３に示す機能選択メニューウィンドウにおいてデータの追加を選択することにより、図３６に示すようなデータ追加項目指定ウィンドウが表示される。
【０１１９】
このデータ追加項目指定ウィンドウにおいて追加するのに必要な情報を入力すると、図３７に示すようなデータ追加訓練時間指定ウィンドウが表示される。
【０１２０】
このデータ追加訓練時間指定ウィンドウにおいて訓練を行った時間を選択することにより、選択された内容が機器操作処理手段２６h からデータ処理手段２６e に送られ、データ処理手段２６e によりデータベース編集手段２９に対して検索要求が行われて、データベース編集手段２９により指定された訓練時の内容が訓練履歴データベース３０より検索される。また、機器操作処理手段２６h からは図３５に示すようなデータ入力ウィンドウが出力されて入出力装置７に表示され、このデータ入力ウィンドウから訓練時の人数の追加を行うことができる。
【０１２１】
なお、図３７に示すデータ追加訓練時間指定ウィンドウで入力した訓練時間が訓練履歴データベース３０から検索されなかった場合には、図３５に示すデータ入力ウィンドウにおいて全ての訓練内容の項目を入力し保存要求をかけることにより、データベースの内容が入力された情報に従って更新される。終了要求で作業を終了する。
【０１２２】
また、それぞれの操作において入力を行うときは、訓練管理者１u が入出力装置７を介して入力を行い、入力された訓練履歴の変更データが入力処理手段２６c を通して機器操作処理手段２６h に送られ、その内容は出力処理手段２６b を通して入出力装置７に表示される。この操作を繰り返して入力が全て行われた後に、機器操作処理手段２６h からデータ処理手段２６e に変更内容のデータが送られ、データ処理手段２６e から入出力管理手段２７を通してデータベース編集手段２９へ変更要求および変更する内容が送られ、データベース編集手段２９は訓練履歴データベース３０の内容を変更要求された内容に変更し編集する。
【０１２３】
編集が終わると、データベース編集手段２９は、編集終了と編集後の内容を入出力管理手段２７を通してデータ処理手段２６e に戻す。データ処理手段２６e は出力処理手段２６b に出力すべき内容を渡して出力要求をかけ、出力処理手段２６b は入出力装置７に編集終了通知と編集後の内容を表示する。
【０１２４】
なお、上記実施例において、変更履歴データベースを設けて変更内容のオペレーションをファイル化し残しておき、同様の変更を再度行うときに、そのファイルをステップ単位で実行し、ファイルの内容と実行したい内容が異なるステップのみ編集後実行をかけるよう対話処理で行うようにすることにより、少ないオペレーションで訓練履歴データ編集を可能とすることもできる。
【０１２５】
以上説明したように、本実施例によれば、利用者情報を含む運転訓練データを保存した後でも、そのデータの修正や追加の必要が生じたとき、入出力装置７からの入力情報に従って修正・追加を行うことができる。従って、入力ミス等によるデータエラーや運転訓練データの自動保存時の簡略入力操作に伴う記録データの誤差も後で修正することができ、より正確な訓練履歴データベースを得ることができる。
【０１２６】
【発明の効果】
以上のように、本発明によれば、運転訓練を実施するたびに訓練内容や運転訓練結果を自動的に訓練履歴データベースに保存可能にすることにより、従来行われていた訓練管理者による訓練終了時の手書き記録や訓練履歴管理装置への入力作業を必要とすることなく運転訓練内容をデータベース化することができ、訓練履歴データの管理が容易になる。
【０１２７】
また、本発明によれば、訓練履歴データの集計・編集の際、自動的に収録された訓練履歴データを基にほとんど人間の手に頼ることなく帳票として出力可能にすることにより、集計作業が容易になり、一元化されたデータベースを基礎資料とするため、正確に記録を作成することができ、訓練履歴の管理業務の効率向上と業務の簡素化を行い、訓練管理者の負担を減ずることができる。
【０１２８】
また、本発明によれば、プラント運転訓練を行う新規利用者の登録やグループ構成の変更等の訓練履歴管理データとプラント模擬部から得られる訓練履歴データとを有機的に結合することにより、対話形式で所望のデータを容易に且つ迅速に取り出して訓練管理業務に利用することができる。
【０１２９】
また、本発明によれば、内部のデータベースと外部記憶装置との間で訓練履歴データの移動を可能にすることにより、データベースの容量に関係なく連続的に訓練履歴データを収録させることが可能となる。
【０１３０】
さらにまた、本発明によれば、記録された運転訓練結果の内容や利用者情報の修正または追加を可能にすることにより、入力ミス等によりるデータエラーや簡易入力操作による細部情報の誤差を、保存後の訂正操作によって容易に排除することができ、常に正確な訓練内容を保持することができる。
【図面の簡単な説明】
【図１】本発明のプラント模擬装置の第１実施例を示すブロック図である。
【図２】図１における要求判定手段２７a のデータ処理例を示すフロー図である。
【図３】図１におけるプラント模擬部２１から訓練履歴管理部２２に伝送される収録データの一例を示す図である。
【図４】本発明のプラント模擬装置の第２実施例を示すブロック図である。
【図５】図４における帳票出力手段３１により帳票出力が行われる際の処理を示す図である。
【図６】帳票出力の種別を選択し出力を実行する際の画面例を示す。
【図７】図４における帳票出力管理手段３１c の詳細構成を示すブロック図である。
【図８】図４における帳票フォーマットデータ管理手段３１b の詳細構成を示すブロック図である。
【図９】帳票フォーマットデータ管理手段３１b におけるフォーマットデータ登録処理を示すフロー図である。
【図１０】図４における出力フォーマット生成手段３１d の詳細構成を示すブロック図である。
【図１１】出力フォーマット生成手段３１d の処理例を示すフロー図である。
【図１２】本発明のプラント模擬装置の第３実施例を示すブロック図である。
【図１３】図１３における訓練履歴データベース３０の各構成間の関わりを示す図である。
【図１４】図１３における訓練履歴データファイル３０a の訓練履歴データを保存するテーブル３０a1である。
【図１５】図１３における訓練履歴データファイル３０a の履歴収録項目の項目名称を登録するテーブル３０a2である。
【図１６】図１３における利用者データファイル３０b の個人利用者を登録するテーブル３０b1である。
【図１７】図１３における利用者データファイル３０b のグループ利用者を登録するテーブル３０b2である。
【図１８】図１３における利用者データファイル３０b のグループごとの個人成員を登録するテーブル３０b3である。
【図１９】図１３における訓練履歴管理用データファイル３０c の研修順に訓練開始・終了時刻、研修参加人数等を保存するテーブル３０c1である。
【図２０】図１３における訓練履歴管理用データファイル３０c の研修受講者を登録するテーブル３０c2である。
【図２１】図１３における訓練履歴管理用データファイル３０c の研修ごとの訓練内容と時間を保存するテーブル３０c3である。
【図２２】図１３における訓練履歴インデックスデータテーブル３０d のデータ構造を例示する図である。
【図２３】図１３における訓練履歴インデックスデータテーブル３０e のデータ構造を例示する図である。
【図２４】図１３におけるデータベース編集手段２９の詳細構成を示すブロック図である。
【図２５】検索条件式の取得処理を説明する図である。
【図２６】本発明のプラント模擬装置の第４実施例を示すブロック図である。
【図２７】警告画面を例示する図である。
【図２８】選択画面を例示する図である。
【図２９】外部記憶装置への保存処理例を示すフロー図である。
【図３０】外部記憶装置への保存データ範囲の入力画面を例示する図である。
【図３１】外部記憶装置からの訓練履歴データ読出し処理例を示すフロー図である。
【図３２】本発明のプラント模擬装置の第５実施例を示すブロック図である。
【図３３】機能選択メニューウィンドウを例示する図である。
【図３４】データ修正項目指定ウィンドウ例示する図である。
【図３５】データ入力ウィンドウを例示する図である。
【図３６】データ追加項目指定ウィンドウを例示する図である。
【図３７】データ追加訓練時間指定ウィンドウを例示する図である。
【図３８】従来の訓練履歴管理システムを説明する図である。
【符号の説明】
３………インストラクタ設定手段、３a ………履歴記憶エリア３a 、７………入出力装置、２１………プラント模擬部、２２………訓練履歴管理部、２３a 、２３b ………伝送装置、２４、２５………履歴伝送手段、２６………管理用マンマシン手段、２６A ………対話入出力データ処理手段、２６B ………入出力制御手段、２６a ………履歴収録要求設定手段、２６b ………出力処理手段、２６c ………入力処理手段、２６d ………外部記憶要求設定手段、２６e ………データ処理手段、２６f ………画面データテーブル、２６g ………機器情報テーブル、２６h ………機器操作処理手段、２７………入出力管理手段、２７a ………、２７b ………、２７c ………外部記憶装置入出力バッファ、２７d ………外部記憶装置管理手段、２７e ………データベース管理手段、２８………自動保存手段、２９………データベース編集手段、２９A ………データ更新手段、２９a ………データデータベース入出力管理手段、２９b ………データベース書込み手段、２９c ………データベース検索手段、２９d ………データベース読出し手段、２９e ………検索情報データベース、２９f ………検索キー取得手段、３０………訓練履歴データベース、３０a ………訓練履歴データファイル、３０b ………利用者データファイル、３０c ………訓練履歴管理用データファイル、３０d ………グループインデックスデータテーブル、３０e ………訓練履歴インデックスデータテーブル、３１………帳票出力手段、３１a ………帳票フォーマットデータベース、３１b ………帳票フォーマットデータ管理手段、３１c ………帳票出力管理手段、３１d ………出力フォーマット生成手段、３２………プリンタ、３３………プリンタ出力手段、３５………外部記憶装置、３６………外部記憶装置データ編集手段、３６a ………保存手段、３６b ………フォーマット手段、３６c ………読出し手段、３７………外部記憶装置入出力手段
【図１】
0003679824.tif 000002
【図２】
0003679824.tif 000003
【図３】
0003679824.tif 000004
【図４】
0003679824.tif 000005
【図５】
0003679824.tif 000006
【図６】
0003679824.tif 000007
【図７】
0003679824.tif 000008
【図８】
0003679824.tif 000009
【図９】
0003679824.tif 000010
【図１０】
0003679824.tif 000011
【図１１】
0003679824.tif 000012
【図１２】
0003679824.tif 000013
【図１３】
0003679824.tif 000014
【図１４】
0003679824.tif 000015
【図１５】
0003679824.tif 000016
【図１６】
0003679824.tif 000017
【図１７】
0003679824.tif 000018
【図１８】
0003679824.tif 000019
【図１９】
0003679824.tif 000020
【図２０】
0003679824.tif 000021
【図２１】
0003679824.tif 000022
【図２２】
0003679824.tif 000023
【図２３】
0003679824.tif 000024
【図２４】
0003679824.tif 000025
【図２５】
0003679824.tif 000026
【図２６】
0003679824.tif 000027
【図２７】
0003679824.tif 000028
【図２８】
0003679824.tif 000029
【図２９】
0003679824.tif 000030
【図３０】
0003679824.tif 000031
【図３１】
0003679824.tif 000032
【図３２】
0003679824.tif 000033
【図３３】
0003679824.tif 000034
【図３４】
0003679824.tif 000035
【図３５】
0003679824.tif 000036
【図３６】
0003679824.tif 000037
【図３７】
0003679824.tif 000038
【図３８】
0003679824.tif 000039